(57)【要約】【目的】取付台座に設けられた複数面の装飾部分を所望の装飾面が表側となるように回転することができ、かかる回転を破損の惧れの無い回転防止機構によって固定することができる指輪を提供する。【構成】宝石・宝玉類の取付部が形成された台座体と、該台座体が取り付けられるリング体とを有する指輪本体と、前記指輪本体と重合して、前記台座体の回転を防止する回転防止具とから構成される指輪であって、前記指輪本体のリング体の一部に間断部を有し、該間断部に前記台座体がリング部の円周軸上で回転可能に軸支されており、前記台座体には、宝石・宝玉類の取付部が回転軸の軸線に沿った方向の外周面に複数面設けられており、前記回転防止具には、前記指輪本体のリング部が指の挿通方向に直交する方向から挿通されるスリット部と、前記台座体の側面に当接乃至は近接して該台座体の回転を防止する側壁溝とが形成されていることを特徴とする指輪である。【選択図】        図１
2005253826.tif 000002
【特許請求の範囲】
【請求項１】
宝石・宝玉類の取付部が形成された台座体と、該台座体が取り付けられるリング体とを有する指輪本体と、前記指輪本体と重合して、前記台座体の回転を防止する回転防止具とから構成される指輪であって、
前記指輪本体のリング体の一部に間断部を有し、該間断部に前記台座体がリング部の円周軸上で回転可能に軸支されており、
前記台座体には、宝石・宝玉類の取付部が回転軸の軸線に沿った方向の外周面に複数面設けられており、
前記回転防止具には、前記指輪本体のリング部が指の挿通方向に直交する方向から挿通されるスリット部と、前記台座体の側面に当接乃至は近接して該台座体の回転を防止する側壁溝とが形成されていることを特徴とする指輪。
【請求項２】
前記台座体の取付部に取り付けられた宝石・宝玉類が、各取付部で異なる種類であることを特徴とする請求項１に記載の指輪。
【請求項３】
前記回転防止具が装飾部を有することを特徴とする請求項１又は２に記載の指輪。
【請求項４】
請求項１〜３のいずれかに記載の指輪において、少なくとも１つの指輪本体に対し、複数の回転防止具が用意されていることを特徴とする指輪。  
【発明の詳細な説明】
【技術分野】
【０００１】
本発明は、指輪に関し、詳しくは少なくとも１つの指輪で宝石・宝玉類の種類を変えて楽しむことのできる指輪に関する。
【背景技術】
【０００２】
宝石・宝玉類の取り付けられた装飾部分を取付台座の複数面に設け、該取付台座を回転することにより２種類以上の装飾面の宝石・宝玉類を楽しむことができる技術が知られている（特許文献１及び２等参照）。
【０００３】
【特許文献１】特開２００１−２１７号公報
【特許文献２】特開平８−１９４０８号公報
【発明の開示】
【発明が解決しようとする課題】
【０００４】
特許文献１の技術は、回転可能な装飾部分の表側と裏側とを異なる装飾とすることにより２種類の装飾を楽しむことができるものである。
【０００５】
しかしこの技術では、装飾部分が回転してしまうため、所望の側を表側に出すためには装飾部分を抑えながら指に嵌める必要があった。
【０００６】
特許文献２の技術は、外周４面に装飾面を有する方形体を２つ乃至は３つ回転可能に軸支し、所望の面を表側にした後にビス固定することで複数組み合わせの装飾を楽しむことができるものである。
【０００７】
しかしこの技術では、前記特許文献１の技術とは異なり装飾部分の回転を防止して固定することができるが、貴金属製である指輪の材質の特性上、ビス固定部分が弱く壊れ易いという問題点を抱えている。また、指輪に用いることのできるビスは極小となるため締めたり緩めたりの細かな作業が煩雑であるだけでなくドライバー等の工具によって指輪や宝石・宝玉類等を傷つけてしまう惧れもある。
【０００８】
装飾部分の回転を防止して固定する手段としては、ビス固定以外にも様々な手段、例えば、ストッパーを付与する等の手段が考えられるが、貴金属製であるという性質上、破損の惧れの無い確実な固定手段とは言えない。
【０００９】
そこで本発明の課題は、取付台座に設けられた複数面の装飾部分を所望の装飾面が表側となるように回転することができ、かかる回転を破損の惧れの無い回転防止機構によって固定することができる指輪を提供することを目的とする。
【課題を解決するための手段】
【００１０】
上記課題を解決する本発明は下記構成を有する。
【００１１】
１．宝石・宝玉類の取付部が形成された台座体と、該台座体が取り付けられるリング体とを有する指輪本体と、前記指輪本体と重合して、前記台座体の回転を防止する回転防止具とから構成される指輪であって、
前記指輪本体のリング体の一部に間断部を有し、該間断部に前記台座体がリング部の円周軸上で回転可能に軸支されており、
前記台座体には、宝石・宝玉類の取付部が回転軸の軸線に沿った方向の外周面に複数面設けられており、
前記回転防止具には、前記指輪本体のリング部が指の挿通方向に直交する方向から挿通されるスリット部と、前記台座体の側面に当接乃至は近接して該台座体の回転を防止する側壁溝とが形成されていることを特徴とする指輪。
【００１２】
２．前記台座体の取付部に取り付けられた宝石・宝玉類が、各取付部で異なる種類であることを特徴とする上記１に記載の指輪。
【００１３】
３．前記回転防止具が装飾部を有することを特徴とする上記１又は２に記載の指輪。
【００１４】
４．上記１〜３のいずれかに記載の指輪において、少なくとも１つの指輪本体に対し、複数の回転防止具が用意されていることを特徴とする指輪。  
【発明の効果】
【００１５】
本発明によれば、取付台座に設けられた複数面の装飾部分を所望の装飾面が表側となるように回転することができ、かかる回転を破損の惧れの無い回転防止機構によって固定することができる指輪を提供することができる。
【発明を実施するための最良の形態】
【００１６】
次に、添付の図面に従って本発明を更に詳細に説明する。
【００１７】
図１は本発明に係る指輪の一実施例の重合前の状態を示す斜視図、図２は図１に示す指輪の重合過程を示す説明側面図、図３は図１に示す指輪の重合状態を示す平面図、図４は図３のＩＶ−ＩＶ線断面図、図５は図３のＶ−Ｖ線部分の台座体と側壁溝の要部端面図、図６は回転防止具の他の実施例を示す平面図、図７は指輪本体の回転部分の他の実施例を示す断面図、図８は台座体と側壁溝の他の実施例を示す要部端面図である。
【００１８】
本発明に係る指輪１は、宝石・宝玉類の取付部２４が形成された台座体２１と、該台座体２１が取り付けられるリング部２２とを有する指輪本体２と、前記指輪本体２と重合して、前記台座体２１の回転を防止する回転防止具３とから構成される。
【００１９】
指輪本体２のリング部２２は一部に間断部２３を有し、該間断部２３に前記台座体２１がリング部２２の円周軸上で回転可能に軸支されている。尚、回転軸は図３及び図４に符号２２Ａとして示す。尚また、回転軸２２Ａの軸受部は図４に符号２１Ａとして示す。
【００２０】
台座体２１には、宝石・宝玉類の取付部２４が回転軸２２Ａの軸線に沿った方向の外周面に複数面（本実施例では４面）設けられている。
【００２１】
取付部２４には、種々のデザイン・カットが施された各種宝石・宝玉類が埋め込み・嵌め込み等、この種の貴金属類の宝石・宝玉類の取付け方として公知公用の手段によって取り付けられている。取付部２４の各面は、台座体２１を回転させて装飾を変えて楽しむことができるように各面で異なる装飾が施されていることが好ましい。また、宝石・宝玉に限らず、七宝焼（エナメル）や螺鈿細工や漆装飾が施されていてもよい。宝石・宝玉類の種類を含むかかる装飾については、作り手側が任意に選択したものであってもよいし、購入者が購入する際に好みに応じて指定したり、複数種類が提示された中から選択するようにしてもよい。指定又は選択は、取付部２４の全ての面であってもよいし、１つの面のみであってもよいし、２つ以上の面であってもよい。
【００２２】
回転防止具３には、前記指輪本体２のリング部２２が指の挿通方向に直交する方向から挿通されるスリット部３１と、前記台座体２１の側面に当接乃至は近接して該台座体２１の回転を防止する側壁溝３２とが形成されている。図１、図２及び図４に示される符号３３は、スリット部３１を介して回転防止具３の左右部材を連結する連結部である。
【００２３】
回転防止具３は、後述するように台座体２１の回転を防止するだけでなく、図２の（Ｃ）及び図３に示すように指輪本体２と重合することで装飾品である指輪１の一構成要素となることから、その表面や側面等に装飾部を有し、該装飾部は、指輪本体２と同じ装飾を施して両者が一体化するデザインや、指輪本体２をより一層引き立てるデザインや、或いは指輪本体２の印象を変えて恰も別なる指輪となるようなデザインであることが好ましい。
【００２４】
上記構成を有する指輪本体２と回転防止具３は図２の（Ａ）〜（Ｃ）に示すように重合されて使用される。
【００２５】
即ち、先ず（Ａ）に示すように、所望の装飾面である取付部２４が表側（図２では上方向）となるように指輪本体２の台座体２１を回転させる。
【００２６】
次に（Ｂ）に示すように、指輪本体２を回転防止具３のスリット部３１に挿通する。挿通方向は、指輪本体２のリング部２２に対する指の挿通方向と直交する方向、即ち、図２では上から下に向かってである。
【００２７】
指輪本体２を回転防止具３に挿通して（Ｃ）に示すように重合させることで両者が一体となり１つの指輪１となる。更に回転防止具３によって、指輪本体２の台座体２１の回転が防止されて固定される。（Ｃ）の状態の平面図を図３に、断面図を図４に、端面図を図５に示す。
【００２８】
台座体２１の回転防止について更に説明する。
指輪本体２と回転防止具３とが図２に示した過程で重合すると、図５に示すように指輪本体２の台座体２１の側面は回転防止具３の側壁溝３２に当接（（Ａ）参照）乃至は近接（（Ｂ）参照）する。（Ｂ）に示す当接する態様の場合には、台座体２１は僅かな回転も防止されるので完全な固定状態となる。（Ａ）に示す近接する場合には、台座体２１は回転方向に若干の揺動回転はするが、僅かに回転した時点で台座体２１の側面が側壁溝３２に当接するので、所望の取付部２４ではない他の取付部２４が表側に現れてしまうことはない。
【００２９】
以上のように指輪本体２と回転防止具３を重合させて１つの指輪１とすることで、所望の宝石・宝玉等が取り付けられた台座体２１の取付部２４を表側にして固定した状態で指に嵌めることができる。即ち、ビスを締めたりストッパー等を操作したり等の細かで煩雑な作業をすることなく、指輪本体２と回転防止具３を重合させるだけで所望の取付部２４が表側に表れた状態で台座体２１を固定することができる。従って、１つの指輪１を持つだけで、その日の気分や服装等に合わせた複数種類の装飾の指輪１を身に付けて楽しむことが極めて容易に可能となる。
【００３０】
また、気分の変化に応じて、或いは服装や装身具の変更に応じて取付部２４の装飾を変更するには、回転防止具３から指輪本体２を少なくとも台座体２１の分だけ抜くだけで該台座体２１が回転可能なので極めて簡単である。
【００３１】
以上、本発明に係る指輪１について実施例に基づき説明したが、本発明は上記実施例に限定されず、種々の構成を採ることができる。
【００３２】
例えば、図６の（Ａ）〜（Ｅ）に示すように回転防止具３は様々な形状及び装飾とすることができる。様々なデザインの回転防止具３を用意しておき、複数種類の装飾を有する取付部２４が取り付けられた指輪本体２と組み合わせることで、より多数種類の変化のある指輪１を楽しむことができる。更に、指輪本体２についても複数種類用意しておけば、多彩なバリエーションが更に増すこととなる。更にまた、回転防止具３としてデザインは同一であるが、色彩のみ変更したものを複数種類用意してもよい。この場合、複数の取付部２４の各面の宝石・宝玉類の色等に対応する回転防止具３を各々用意し、表側にする取付部２４に応じて回転防止具３を選択して重合させて楽しむことができる。
【００３３】
また、台座体２１の回転軸はリング部２２側に形成されている態様に限らず、図７に示すように回転軸は台座体２１側に形成されていてもよい。図７において、回転軸は符号２１Ｂとして示し、軸受部は符号２２Ｂとして示す。
【００３４】
更に、台座体２１の取付部２４の数は上記実施例の４つに限定されない。例えば、図８の（Ａ）では２つ、（Ｂ）では３つ、（Ｃ）では５つ、（Ｄ）では６つのように２以上の複数面であって且つ回転防止具３の側壁溝３２によって回転防止できる構成であればよい。
【図面の簡単な説明】
【００３５】
【図１】本発明に係る指輪の一実施例の重合前の状態を示す斜視図
【図２】図１に示す指輪の重合過程を示す説明側面図
【図３】図１に示す指輪の重合状態を示す平面図
【図４】図３のＩＶ−ＩＶ線断面図
【図５】図３のＶ−Ｖ線部分の台座体と側壁溝の要部端面図
【図６】回転防止具の他の実施例を示す平面図
【図７】指輪本体の回転部分の他の実施例を示す断面図
【図８】台座体と側壁溝の他の実施例を示す要部端面図
【符号の説明】
【００３６】
１  指輪
２  指輪本体
２１  台座体
２１Ａ  軸受部
２１Ｂ  回転軸
２２  リング部
２２Ａ  回転軸
２２Ｂ  軸受部
２３  間断部
２４  取付部
３  回転防止具
３１  スリット部
３２  側壁溝
３３  連結部
【図１】
2005253826.tif 000003
【図２】
2005253826.tif 000004
【図３】
2005253826.tif 000005
【図４】
2005253826.tif 000006
【図５】
2005253826.tif 000007
【図６】
2005253826.tif 000008
【図７】
2005253826.tif 000009
【図８】
2005253826.tif 000010